(57)【要約】      （修正有）【課題】容易に運ぶことができるクッションを提供する。【解決手段】クッション１Ａは、胴部２とその胴部２の長軸方向に対向する一対の側面部とを備え、各側面部に架渡部４が設けられている。そのクッション１Ａが載置される面と接触する平らな底面部２１を有しており、この底面部２１の外縁から外側に向って延出するベロ部５が着脱自在に設けられている。【選択図】図１
0003158693.tif 000002
【実用新案登録請求の範囲】
【請求項１】
胴部とその胴部の長軸方向に対向する一対の側面部とを備えるクッションにおいて、
各側面部に両端が固定されており、これらの両端の間の一部が側面部と離間可能となっている架渡部が設けられていることを特徴とするクッション。
【請求項２】
複数の前記クッションの前記架渡部が連結部材によって連結可能となっていること特徴とする請求項１に記載のクッション。
【請求項３】
胴部とその胴部の長軸方向に対向する一対の側面部とを備えるクッションにおいて、
前記胴部は、そのクッションが載置される面と接触する平らな底面部を有しており、この底面部の外縁から外側に向って延出するベロ部が設けられていることを特徴とするクッション。
【請求項４】
前記ベロ部は着脱自在になっていることを特徴とする請求項３に記載のクッション。
【考案の詳細な説明】
【技術分野】
【０００１】
本考案は、体の一部を載せて使用するクッションに関する。
【背景技術】
【０００２】
従来、例えば、マクラ、肘掛、フットレストなど、床や布団等に載置して使用するクッションがある。
【０００３】
このようなクッションは、片手でクッションの端を掴んで運んだり、両手でクッションのバランスをとりつつ運んだりするようになっている。
【考案の概要】
【考案が解決しようとする課題】
【０００４】
しかし、片手で運ぶ場合には、掴んでいる指の間からクッションの端がすべり落ちるという問題がある。また、両手で運ぶ場合には、クッションのバランスを取り損なうとクッションが落ちるという問題がある。クッションが落ちると埃が舞い上がるという結果となる。
【０００５】
また、床や布団等に載置したクッションの位置がずれることによって埃が舞い上がることがある。
【０００６】
さらに、長尺物のクッションを折り曲げて使用する場合、そのクッションの折り曲げ等によって埃が舞い上がることがある。
【０００７】
上記点より本考案は、埃の舞い上がりを防止することできるクッションを提供することを目的とする。
【課題を解決するための手段】
【０００８】
上記課題を解決するため、請求項１のクッションは、胴部とその胴部の長軸方向に対向する一対の側面部とを備えるクッションにおいて、各側面部に両端が固定されており、これらの両端の間の一部が側面部と離間可能となっている架渡部が設けられている。
【０００９】
この請求項１のクッションによれば、架渡部が設けられていることによって、クッションを容易に運ぶことができる。また、各側面部に架渡部が設けられていることによって、把持する場所を選択することができる。
【００１０】
請求項２のクッションは、請求項１のクッションおいて、複数の前記クッションの前記架渡部が連結部材によって連結可能となっている。
【００１１】
この請求項２のクッションによれば、請求項１のクッションと同様に作用する上、複数のクッションの前記架渡部が連結部材によって連結可能となっているので、複数のクッションを連結した状態でそれぞれのクッションの配置を自由に変えることができる。
【００１２】
請求項３のクッションは、胴部とその胴部の長軸方向に対向する一対の側面部とを備えるクッションにおいて、前記胴部は、そのクッションが載置される面と接触する平らな底面部を有しており、この底面部の外縁から外側に向って延出可能となっているベロ部が設けられている。
【００１３】
この請求項３のクッションによれば、ベロ部を例えば、床と布団との間、床と座布団との間、ソファの背もたれと座面との隙間などに挟みこむことによって、クッションがずれることを防止できる。
【００１４】
請求項４のクッションは、請求項３のクッションおいて、前記ベロ部は着脱自在になっている。
【００１５】
この請求項４のクッションによれば、請求項３のクッションと同様に作用する上、ベロ部が着脱自在に設けられていることによって、ベロ部が不要な時はクッションから取り外すことができる。
【考案の効果】
【００１６】
請求項１及びクッションの落下による埃の舞い上がりを防止することができる。請求項２の考案によれば、複数のクッションを連結した状態でそれぞれのクッション配置を自由に変えることができ、クッションの折り曲げによる埃の舞い上がりを防止することができる。また、請求項３及び４の考案によれば、クッションがずれることを防止できるので、クッションのずれによる埃の舞い上がりを防止することができる。
【図面の簡単な説明】
【００１７】
【図１】本考案の第一実施形態のクッションの斜視図である。
【図２】本考案の第一実施形態のクッションの斜視図である。
【図３】本考案の第二実施形態のクッションの斜視図である。
【図４】本考案の第三実施形態のクッションの斜視図である。
【図５】本考案の第四実施形態のクッションの斜視図である。
【図６】連結した複数のクッションの一部を示す平面図である。
【考案を実施するための形態】
【００１８】
以下、本考案の第一実施形態について図１に基づいて説明する。
【００１９】
第一実施形態のクッション１Ａは、クッション１Ａの使用者の体の一部を載せる胴部２とその胴部２の長軸方向に対向する一対の半円形の側面部３Ａ，３Ａとを備える。
【００２０】
側面部３には、側面部３の外縁近傍に両端が固定されており、これらの両端の間の一部が側面部３と離間可能となっている架渡部４が設けられている。使用者はこの架渡部４と側面部３とが離間している空間に指を通すことが可能となっている。尚、図１では見えないが図中奥側の側面部３にも同様に架渡部４が設けられている。
【００２１】
胴部２は、そのクッション１Ａが載置される面である床、絨毯又はソファの座面と接触する平らな底面部２１を有しており、この底面部２１の外縁から外側に向って延出するベロ部５が着脱自在に設けられている。ベロ部５は、図１に示すように胴部２の長軸方向に延出していてもよく、図２に示すように、胴部２の長軸と直交する方向に延出していてもよい。また、複数のベロ部５が、胴部２の長軸方向及び長軸と直交する方向にそれぞれ延出していてもよい。
【００２２】
ベロ部５は、例えばオープンファスナーや面ファスナーを介して胴部２、側面部３Ａ又は底面２１に取り付けられるようになっている。
【００２３】
以下、本考案の第二実施形態について図３に基づいて説明する。
【００２４】
第二実施形態のクッション１Ｂは、クッション１Ｂの使用者の体の一部を載せる胴部２とその胴部２の長軸方向に対向する一対の矩形の側面部３Ｂ，３Ｂとを備える。
【００２５】
架渡部４及びベロ部５は第一実施形態と同様の構成となっているので説明を省略する。
【００２６】
以下、本考案の第三実施形態について図４に基づいて説明する。
【００２７】
第三実施形態のクッション１Ｃは、クッション１Ｃ使用者の体の一部を載せる胴部２とその胴部２の長軸方向に対向する一対の円形の側面部３Ｃ，３Ｃとを備える。
【００２８】
架渡部４は第一実施形態と同様の構成となっているので説明を省略する。
【００２９】
以下、本考案の第四及び第五実施形態について図５及び図６に基づいて説明する。
【００３０】
図５に示すように、第四実施形態のクッション１Ｄは、クッション１Ｄの使用者の体の一部を載せる胴部２とその胴部２の長軸方向に対向する一対の側面部３Ｄ，３Ｄとを備える。側面部３Ｄ，３Ｄは円弧と弦とからなる形状となっている。
【００３１】
側面部３には、側面部３の外縁近傍に両端が固定されており、これらの両端の間の三箇所が側面部３と離間可能となっている架渡部４が設けられている。
【００３２】
図６に示すように、架渡部４と側面部３とが離間している三箇所の空間のうち、真ん中の空間に連結部材６を通し、複数のクッション１Ｄ，１Ｄを連結できるようになっている。
【００３３】
連結部材６は、ボタン、面ファスナー等の止め具を有する帯体であり、止め具を止めることによってリング状にすることができる。架渡部４と側面部３とが離間している空間に連結部材６を通し、止め具を止めることによって複数のクッション１Ｄ，１Ｄを連結できる。連結された複数のクッション１Ｄ，１Ｄは、連結部材６を把持することによって、連結した状態のまま持ち運ぶこともできるようになっている。
【００３４】
上記第一又は第三実施形態では、側面部が半円形、円形である場合について説明したが、これに限定されることなく、例えば、側面部が半円形以外の円弧と弦とからなる形状となっていてもよい。
【００３５】
上記第一から第四実施形態では、架渡部の両端が固定されており、これらの両端の間の一箇所又は三箇所が側面部と離間可能となっている場合について説明したが、これに限定されることなく、使用者がこの架渡部と側面部とが離間している空間に指を通すことが可能、又は、架渡部と側面部とが離間している空間に連結部材を通すことが可能であればよい。
【００３６】
上記第二実施形態では、側面部が矩形である場合について説明したが、これに限定されることなく、例えば、側面部が三角形、五角形などの矩形以外の多角形であってもよい。
【００３７】
上記第四実施形態では、側面部が円弧と弦とからなる形状となっている場合について説明したが、これに限定されることなく、例えば、側面部が三角形、五角形などの矩形以外の多角形や半円形、円形であってもよい。
【００３８】
上記第一及び第二実施形態では、ベロ部５は、例えばオープンファスナーや面ファスナーを介して胴部２又は側面部３Ａに取り付けられるようになっている場合について説明したが、これに限定されることなく、例えばボタン、取り付け紐等を介してベロ部が胴部又は側面部に取り付けられるようになっていてもよい。
【００３９】
上記第四実施形態では、架渡部と側面部とが離間している三箇所の空間のうち、真ん中の空間に連結部材を通す場合について説明したが、これに限定されること無く、真ん中以外の空間に連結部材を通してもよい。通す空間を変えることによって、連結されたクッションの配置のバリエーションを増やすことができる。
【符号の説明】
【００４０】
１Ａ，１Ｂ，１Ｃ，１Ｄ        クッション
２                            胴部
３Ａ，３Ｂ，３Ｃ，３Ｄ、３Ｅ  側面部
４                            架渡部
５                            ベロ部
６                            連結部材
２１                          底面部
３１                          側面部の外縁
【図１】
0003158693.tif 000003
【図２】
0003158693.tif 000004
【図３】
0003158693.tif 000005
【図４】
0003158693.tif 000006
【図５】
0003158693.tif 000007
【図６】
0003158693.tif 000008